(57)【要約】【課題】ビデオカメラ装置に記録した映像情報を任意の場所で、多数の人が同時に鑑賞するために、ビューファインダの液晶表示装置を利用する場合は、光源を大型化、高光量化する必要があった。【解決手段】直視液晶モニタ部３の筐体に投影レンズ装置６が着脱できる手段と着脱の状態を検出できる検出装置１６を備えるビデオカメラ装置１であって、直視液晶モニタ部３を通常撮影時の位置から１８０度回転した対面撮影位置に回転し、投影レンズ装置６を直視液晶モニタ部３に装着し、ビデオカメラ装置１の記録再生切り替えスイッチ５を再生モードに切り替えたときに、ビデオカメラ装置使用者はビデオカメラ装置をプロジェクタとして使用する意思があると判定し、液晶表示装置７の走査方向とＲＧＢ画素ずらし量とバックライトの光量を通常撮影、または通常再生用からプロジェクタ用に切り替える。【選択図】図１
2010114476.tif 000002
【特許請求の範囲】
【請求項１】
液晶表示装置をバックライトにより照明し、この液晶表示装置の画像を直視できる液晶モニタ部を備えたビデオカメラ装置において、直視液晶モニタ部に投影レンズ機構を取り付けることができる手段を備え、直視液晶モニタ部の開閉回転位置検出信号と投影レンズ装着検出信号と録画再生モード検出信号により、プロジェクタモードと通常記録再生モードとの判別を行い、液晶表示装置の走査方向、ＲＧＢ画素ずらし量、およびバックライトの輝度を切り替え、ビデオカメラ装置本体に記録された映像信号を外部に拡大投影するプロジェクタ機能を付加することができることを特徴とするビデオカメラ装置。
【請求項２】
直視液晶モニタ部を備えたビデオカメラ装置において、前記直視液晶モニタ部に、ビデオカメラ装置本体に記録された映像信号を外部に拡大投影するプロジェクタ機能を付加する投影手段を備え、前記プロジェクタモード時に、投影画面周辺をビデオカメラ装置の撮像手段より取り込んだ映像により投影環境の明るさを判定し、バックライトの輝度を制御することを特徴とするビデオカメラ装置。
【発明の詳細な説明】
【技術分野】
【０００１】
本発明は、ビデオカメラ装置に搭載される液晶表示装置に表示されるビデオカメラ装置本体に記録された情報を、スクリーン等に拡大投影する簡易プロジェクタとして利用するデジタルビデオカメラ、デジタルスチルカメラの撮像装置に関するものである。
【背景技術】
【０００２】
従来、ビデオカメラ装置の液晶表示装置をプロジェクタ装置の投射画像として兼用するものが多く提案されている。ビューファインダ用液晶表示装置を利用するものとしては、（例えば、特許文献１、２参照）ＥＶＦモード時には低輝度（標準）光源ユニットを、プロジェクタモード時には高輝度光源ユニットおよびファンユニットを、各々液晶表示装置の後段に取り付ける方式、ビデオカメラ装置のビューファインダの接眼レンズ部がビデオカメラ装置のビューファインダ部から取り外し自在であり、この接眼レンズ部の代わりに、投影レンズ装置を内蔵し投影レンズにより拡大された液晶表示装置の画像を結像させるプロジェクタスクリーンを備えてなるプロジェクタ用アダプタが取り外し自在に装着される方式等がある。
【０００３】
または、ビデオカメラ装置に搭載される直視液晶表示装置を利用するものとしては、（例えば、特許文献３参照）直視液晶モニタ付きビデオカメラ装置のアダプタ機器であるプロジェクタアダプタに直視液晶モニタ部の液晶表示装置が挿入される挿入穴が設けられ、直視液晶モニタ部の液晶表示装置をバックライトと分離して、プロジェクタアダプタの直視液晶表示装置挿入穴に挿入することにより、液晶表示装置に表示される映像をスクリーンに拡大投影することができる方式等がある。
【特許文献１】特開平０５−３４４３９２号公報
【特許文献２】特開平０５−３２８１７９号公報
【特許文献３】特開平０８−３０７７４５号公報
【発明の開示】
【発明が解決しようとする課題】
【０００４】
しかしながら、前記従来の構成のビデオカメラ装置のビューファインダ用の液晶表示装置を利用する方式では、液晶表示装置の透過率は３％前後しかないため、外付けの光源を取り付ける場合にも高出力の光源が必要となり、消費電力の増加、ビデオカメラ本体の発熱量の増加の課題を有していた。
【０００５】
また内蔵の光源にて構成する場合、ビューファインダ用液晶表示装置の形状は小さいため、液晶表示装置の裏に光源を多数配置し、高光量化を図ることもできなく、光量不足の課題を有していた。
【０００６】
さらにビデオカメラの直視液晶モニタ部の液晶表示装置をバックライトと分離し、プロジェクタアダプタの直視液晶表示装置挿入穴に挿入する方式では、バックライトと分離するための回転部が必要となり、また、バックライトと分離し利用するため、表示装置の保護手段が必要となり、直視液晶モニタ部の形状が大型化する課題を有していた。
【０００７】
本発明は、前記従来の課題を解決するもので、直視液晶モニタ部の筐体に投影レンズ装置を取り付ける手段を具備することにより、消費電力の増加量を抑えた携帯性に優れた簡易プロジェクタ機能を追加したビデオカメラ装置を提供することを目的とする。
【課題を解決するための手段】
【０００８】
前記従来の課題を解決するために、本発明のビデオカメラ装置は液晶表示装置をバックライトにより照明し、この液晶表示装置の画像を直視できる液晶モニタ部を備え、直視液晶モニタ部に投影レンズ機構を取り付けることができる手段を備え、直視液晶モニタ部の開閉回転位置検出信号と投影レンズ装着検出信号と録画再生モード検出信号により、プロジェクタモードと通常記録再生モードとの判別を行い、液晶表示装置の走査方向、ＲＧＢ画素ずらし量、およびバックライトの輝度を切り替え、ビデオカメラ装置本体に記録された映像信号を外部に拡大投影するプロジェクタ機能を付加することができることを特徴とするものである。
【０００９】
また本発明は、直視液晶モニタ部を備えたビデオカメラ装置において、前記直視液晶モニタ部に、ビデオカメラ装置本体に記録された映像信号を外部に拡大投影するプロジェクタ機能を付加する投影手段を備え、前記プロジェクタモード時に、投影画面周辺をビデオカメラ装置の撮像手段より取り込んだ映像により投影環境の明るさを判定し、バックライトの輝度を制御することを特徴とするものである。
【発明の効果】
【００１０】
本発明のビデオカメラ装置は、直視液晶モニタ部に投影レンズ装置が着脱可能な手段を付加することにより、投影レンズ装置の装着を可能にし、簡易に任意の場所にて、多数の人がビデオカメラ装置に記録した情報を拡大投影して鑑賞することを可能にするプロジェクタ機能を追加できる。
【発明を実施するための最良の形態】
【００１１】
以下に、本発明のビデオカメラ装置の実施の形態を図面とともに詳細に説明する。  
【００１２】
（実施の形態１）
図１は本発明の実施の形態１の直視液晶モニタ部３に投影レンズ装置６を装着したときのビデオカメラ装置の外観を示す斜視図である。図１において、ビデオカメラ装置本体１の前部に撮影レンズ２、側部に直視液晶モニタ部３が開閉回転機構４を介して配置され、直視液晶モニタ部３の液晶表示装置にて映像を確認しながら撮影することができ、またビデオカメラ装置本体１の記録媒体に記録された情報を液晶表示装置にて再生確認することもできる。５はビデオカメラ装置本体の記録、再生モード切り替えスイッチである。
【００１３】
図２は本発明の第１実施形態におけるプロジェクタ用投影レンズ装置を直視液晶モニタ部に装着した状態の直視液晶モニタ部３と投影レンズ装置６の内部構成を示す説明図であり、７は液晶表示装置、８は液晶表示装置７の側部に備えられた複数の白色ＬＥＤからなるエッジライト、９は液晶表示装置７の後部に設けられ、エッジライト８の光を液晶表示装置７側に導く導光板、１０は液晶表示装置７と導光板９との間に配置され、導光板９からの光を拡散させる拡散シート、１１，１２はプリズムシート、１３は導光板９の反射面を形成する導光板用反射シート、１４はビデオカメラ装置本体１に回転可能に連結され、直視液晶モニタ部を構成する各種部品を収納する筐体、１５はエッジライトである白色ＬＥＤ８を実装するプリント基板、１７はプロジェクタ用投影レンズ、１６は投影レンズ装置６の直視液晶モニタ部３への装着検出スイッチである。直視液晶モニタ部の筐体１４の上下には投影レンズ装置装着用のガイド溝１８、投影レンズ装置６の筐体にはガイド凸部１９が形成されている。装着検出スイッチ１６は誤作動防止のため、直視液晶モニタ筐体に設けたガイド溝１８内に配置されている。プロジェクタ用投影レンズ装置６の装着用ガイド溝、ガイド凸を図２に示したが、この形状に限定されるものではない。また、図２では上プリズム方式でプリズムシートを２枚構成としたが、プリズムシートは下プリズム方式で、１枚構成でも実現可能である。
【００１４】
ビデオカメラ装置使用者が、任意の場所において複数の人が同時に同じ画像を見るために、ビデオカメラ装置の直視液晶表示ではなく、さらに大きな画面で鑑賞するためにビデオカメラ装置１の直視液晶モニタ部３をプロジェクタとして使用したいときは、直視液晶モニタ部３を通常撮影時の位置から１８０度回転させ、投影を希望するスクリーンまたは壁に向け、投影レンズ装置６を直視液晶モニタ部３のガイド溝１８に沿って装着し、検出スイッチ１６をＯＮさせ、記録、再生切り替えスイッチ５を再生モードにする、すなわち開閉回転機構４内の直視液晶モニタ部開閉スイッチ、同じく開閉回転機構４内の直視液晶モニタ部回転スイッチ、投影レンズ装置装着スイッチ１６、再生モードスイッチ５すべてがＯＮになると、ビデオカメラ装置１の制御用マイクロコンピュータがプロジェクタモードと判定し、直視液晶モニタ部３のバックライトの光量を通常の撮影再生モード時の設定から、プロジェクタ時の設定の高光量設定に切り替え、スクリーン、壁等に拡大投影して楽しむことができる。この投影レンズ装置の装着検出スイッチ１６の代わりに、記録再生モード切り替えスイッチ５にプロジェクタ再生モードを追加することでも実現可能である。
【００１５】
また液晶表示装置７の上下左右の走査方向は、撮影モードで直視液晶モニタ部３の液晶表示装置７にて被写体を確認している状態から、１８０度回転した対面撮影モードでの液晶表示装置７への表示では上下の走査方向のみを逆にし、液晶表示装置7の画面をミラー表示とするが、プロジェクタモードと判定した場合は、上下の走査方向はそのままで、左右のみ逆走査となるよう切り替え、投影画面を正常走査とする。さらに、液晶表示装置７が各液晶画素に接続するＲＧＢ信号線に映像信号電荷を順次書き込んで画像表示を行なう際、ＲＧＢ各画素に接続する３本の信号線一組を同時に一括してアクセスするＲＧＢ同時サンプリング駆動方式の液晶表示装置であれば、図３のようにＲＧＢ各画素は所定のピッチ間隔で配列されている。この為、入力されたＲＧＢ信号を何ら位相調整せずに一組のＲＧＢ画素に同時に供給した場合、位相誤差が生じ解像度が低下してしまう。ＲＧＢ同時サンプリング駆動方式ではこの解像度の低下を抑制する為、ＲＧＢ信号の時間ずらし処理を行なっている。ビデオカメラ装置１の直視液晶モニタ部３を通常撮影モードからプロジェクタモードに切り替えた場合、この液晶表示装置７へのＲＧＢ信号の時間ずらし処理の切り替えをバックライトの光量の切り替え、走査方向の切り替えと合わせて行い解像度の低下を抑制する。
【００１６】
（実施の形態２）
図４は本発明の実施の形態２における直視液晶表示装置７にビデオカメラ装置本体に記録された情報の再生画面を表示し、その画面を拡大投影したときの図である。図４のようにスクリーンまたは壁に拡大投影されると制御用マイクロコンピュータからの指令により、撮影レンズのズームを広角側へ強制制御し、投影画面とその周辺の投影画面外の情報がビデオカメラ装置１の撮像レンズ２により集光されて撮像素子に結像するようになっている。このズームの広角側への強制制御は、プロジェクタモードで撮影レンズが望遠側に位置していると、投影画面中心部の情報しか撮影素子に結像しないためである。撮像素子で結像した映像に対応した信号はカメラ信号処理部に出力され、カメラ信号処理部では撮像素子からの1フィールド毎の映像信号を複数のブロック、例えば図５のようにａ１からｆ８に分割し、各ブロックの信号データを制御用マイクロコンピュータに出力している。マイクロコンピュータでは、投影画面外の明るさ情報、ａ１からａ８までの明るさ情報により投影環境の明るさを判定する。
【００１７】
一般的に床または地面に近いほど暗いため、明るさ測定点を画面上部にしている。また、投影画面外の情報のみで明るさを判定したが、投影開始直後は再生画面ではなく、制御用マイクロコンピュータからの指令により、白フェード信号に切り替え、投影画面外のａ１〜ａ８と投影画面ｃ３〜ｃ６との比率により判定しても構わない。明るさ判定基準の一例としては、５Ｌｕｘの周囲照度をプロジェクタモードでの標準環境とし、この標準照度ではバックライトの消費電力を１Ｗと設定、１Ｌｕｘ以下のほぼ真っ暗な環境の場合は、バックライトの消費電力を０．５Ｗ、１０Ｌｕｘ以上の環境、プロジェクタモードでは明るい周囲環境では２Ｗとなるように制御すれば、鑑賞者にとって最適な投影環境を提供することができる。
【００１８】
投影環境の照度測定とバックライト光量設定制御が完了次第、カメラ系回路ブロックはパワーセーブモードに移行し、ビデオカメラ装置本体の消費電力削減と発熱量を抑えることができる。
【産業上の利用可能性】
【００１９】
本発明にかかるビデオカメラ装置は、投影レンズ装置を直視液晶モニタ部に装着することによりプロジェクタ機能を付加するもので、大型モニタのない会議室等でのプレゼンテーションにも利用可能である。
【図面の簡単な説明】
【００２０】
【図１】本発明の実施形態の投影レンズ装置を装着したビデオカメラ装置の外観を示す斜視図
【図２】本発明の第１実施形態における液晶モニタ部と投影レンズ装置の内部構成を示す説明図
【図３】本発明の第１実施形態における液晶表示装置の画素配列を示す説明図
【図４】本発明の第２実施形態における投影画面の撮像状態を示す説明図
【図５】本発明の第２実施形態における撮像素子出力の分割を示す説明図
【符号の説明】
【００２１】
１  ビデオカメラ装置本体
２  撮像レンズ
３  直視液晶モニタ部
４  開閉回転機構
５  記録再生モード切り替えスイッチ
６  投影レンズ装置
７  液晶表示装置
８  ＬＥＤ
９  導光板
１０  拡散シート
１１、１２  プリズムシート
１３  反射シート
１４  直視液晶モニタ部筐体
１５  プリント基板
１６  装着検出スイッチ
１７  投影レンズ
１８  ガイド溝
１９  ガイド凸部
【図１】
2010114476.tif 000003
【図２】
2010114476.tif 000004
【図３】
2010114476.tif 000005
【図４】
2010114476.tif 000006
【図５】
2010114476.tif 000007